(57)【要約】【課題】組立て性および分解性に優れ、かつ組立て環境を汚染したりデータの読み書きに悪影響を与えたりする虞れがない小型ディスクカートリッジのハウジングの組立て構造を提供する。【解決手段】金属板からなる上下シェル３，４の周壁部同士の凹凸係合によって、シェル３，４を機械的に結合する。【選択図】          図１
2004152459.tif 000002
【特許請求の範囲】
【請求項１】
金属板からなる上下シェルによって構成された扁平なハウジング内に、ディスク型記録媒体を回転自在に収容してなるディスクカートリッジにおいて、
前記ハウジングが、前記上下シェルの周縁部同士の機械的に結合により組み立てられていることを特徴とするディスクカートリッジ。
【請求項２】
前記上下シェルの周縁部同士の機械的結合部が、前記上下シェルの周壁部同士の凹凸係合によって構成されることを特徴とする請求項１記載のディスクカートリッジ。
【請求項３】
前記上下シェルの周縁部同士の機械的結合部が、前記上下シェルの一方の周壁部のかしめによって構成されることを特徴とする請求項１記載のディスクカートリッジ。
【請求項４】
前記上下シェルが、１枚の金属板の折返しによって構成されることを特徴とする請求項１記載のディスクカートリッジ。
【請求項５】
一方の周縁部に係止爪が形成され、前記上下シェルの他方の周縁部の前記係止爪に対応する位置に凹部が形成されており、前記上下シェルの周縁部同士の機械的結合部が、前記凹部に挿通された前記係止爪の折曲げによって構成されることを特徴とする請求項１記載のディスクカートリッジ。
【請求項６】
前記上下シェルの一方の周壁部に窓が形成され、前記上下シェルの他方の周壁部の前記窓に対応する位置に切起し片が形成されており、前記上下シェルの周縁部同士の機械的結合部が、前記窓に対する前記切起し片の弾性的係入によって構成されることを特徴とする請求項１記載のディスクカートリッジ。
【発明の詳細な説明】
【０００１】
【発明の属する技術分野】
本発明は、金属板からなる上下シェルによって構成された扁平なハウジング内に、ディスク型記録媒体を回転自在に収容してなるディスクカートリッジに関し、特にハウジングの組立て構造に関するものである。
【０００２】
【従来の技術】
従来より、デジタルカメラ等のモバイル機器においては、記録媒体として例えば特許文献１に記載されているような「ｃｌｉｋ！（登録商標）」と呼ばれる超小型の磁気ディスクカートリッジが使用されている。この磁気ディスクカートリッジ１は、図１２に概略的に示すように、幅５０ｍｍ、奥行き５５ｍｍ、厚さ１．９５ｍｍという寸法を有し、樹脂製のフレーム２と、金属素材（厚さ０．２ｍｍのステンレス鋼板）からなる上下シェル３，４とによって構成されたハウジング内に、４０ＭＢの記憶容量を有する直径１．８インチ（４５．７ｍｍ）の磁気ディスクを回転自在に収容するとともに、上記ハウジングは、このカートリッジが装填されるディスクドライブが備えている磁気ヘッドを磁気ディスクの表面にアクセスさせるための開口６と、この開口６を開閉するロータリーシャッタ７とを備えている。上下シェル３，４は、ハウジングの側面においてそれらの周壁部のエッジを互いにつき合わせて１０箇所以上の部位Ｐでレーザー溶接されて組み立てられている。
【０００３】
【特許文献１】米国特許第６２５６１６８号公報
【０００４】
【発明が解決しようとする課題】
しかしながら、上述のような従来のディスクカートリッジにおけるハウジングの組立て構造は、下記の３点で問題があった。
【０００５】
（１）  組立て作業上の問題点：
レーザー溶接機のような高価な特殊機械を必要とするとともに、上下シェルをずれのないように精密に位置決めする必要がある。
【０００６】
（２）  塵埃発生の問題点：
溶接時にべーパーやスパッタ屑が発生し、この微細な屑が記録媒体上に付着して、データの読み書きに悪影響を及ぼす。また、組立てスペースが汚染される（組立てスペースはクラス１００〜１０００のクリーン度が必要）。
【０００７】
（３）  防塵性の問題点  ：
上下シェルのエッジを溶接する場合には、溶接部位における一方のシェルのエッジに、他部よりも僅かに突出したタブを設けているため、溶接部位以外では、両エッジ間に僅かな隙間が生じ、防塵性に問題がある。
【０００８】
（４）  分解性上の問題点：
リサイクルまたは分別廃棄のための分解時に、溶接部分を破壊しなければならず、非常に手間がかかる。
【０００９】
そこで本発明は、上述した問題点を全て解決した上下シェルの組立て構造を提供することを目的とするものである。
【００１０】
【課題を解決するための手段】
本発明は、金属板からなる上下シェルによって構成された扁平なハウジング内に、ディスク型記録媒体を回転自在に収容してなるディスクカートリッジにおいて、
上記ハウジングが、上下シェルの周縁部同士の機械的に結合により組み立てられていることを特徴とするものである。
【００１１】
本発明の一つの態様によれば、上記上下シェルの周縁部同士の機械的結合部が、上下シェルの周壁部同士の凹凸係合によって構成される。
【００１２】
本発明の他の態様によれば、上記上下シェルの周縁部同士の機械的結合部が、上下シェルの一方の周壁部のかしめによって構成される。
【００１３】
本発明のさらに他の態様によれば、上記上下シェルが、１枚の金属板の折返しによって構成される。
【００１４】
本発明のさらに他の態様によれば、上下シェルの一方の周縁部に係止爪が形成され、上下シェルの他方の周縁部の上記係止爪に対応する位置に凹部が形成されており、上記上下シェルの周縁部同士の機械的結合部が、上記凹部に挿通された上記係止爪の折曲げによって構成される。
【００１５】
本発明のさらに他の態様によれば、上下シェルの一方の周壁部に窓が形成され、上下シェルの他方の周壁部の上記窓に対応する位置に切起し片が形成されており、上下シェルの周縁部同士の機械的結合部が、上記窓に対する上記切起し片の弾性的係入によって構成される。
【００１６】
また、上述した上下シェルの周縁部同士の機械的結合部の構成は、これらを複数組み合わせたものとすることも可能である。あるいは、上述した機械的結合部の構成に対し、接着またはホットメルトを併用してもよい。
【００１７】
【発明の効果】
本発明によれば、金属製上下シェルの周縁部を、溶接によらずかしめ等の機械的結合により結合しているから、レーザー溶接機のような高価な特殊機械を必要とせずにカートリッジを容易かつ精度良く組み立てることができ、また、組立て環境を汚染しかつデータの読み書きに悪影響を与える虞れがあるべーパーやスパッタ屑が組み立て時に発生することもなく、防塵性も向上する。さらに、分別廃棄またはリサイクル時の分解が容易である等の数々の利点がある。
【００１８】
【発明の実施の形態】
以下、本発明の実施の形態について、図面を参照して詳細に説明する。なお、理解を容易にするために、以下の図においては各部材の寸法比率を変えて示してある。
【００１９】
図１（ａ）〜（ｃ）は、本発明によるディスクカートリッジの第１の実施の形態の上シェル、下シェルおよびハウジングをそれぞれ一部を省略して概略的に示す断面図である。
【００２０】
図１（ａ）に示す上シェル３は、ハウジング５の天板を構成する平板部３ａと、この平板部３ａの周縁から下方へ垂下する周壁部３ｂとからなり、周壁部３ｂの内壁面には、平板部３ａと平行に延びる凹溝１１が形成されている。
【００２１】
図１（ｂ）に示す下シェル４は、ハウジング５の底板を構成する平板部４ａと、この平板部４ａの周縁から上方へ立ち上がって、上シェル３の周壁部３ｂの内側に嵌着される周壁部４ｂとからなり、周壁部４ｂの外壁面には。上記凹溝１１と係合する凸条１２が平板部４ａと平行に延設されている。
【００２２】
このような構成を有する上シェル３と下シェル４とは、図１（ｃ）に示すように、上記凹溝１１と凸条１２とが凹凸係合する態様で機械的に結合されて、ハウジング５を構成している。なお、上記凸条１２の周壁部４ｂの外壁面からの高さは、周壁部４ｂの厚さの約５０％程度が好ましい。
【００２３】
次の第２図（ａ）〜（ｃ）は、本発明によるディスクカートリッジの第２の実施の形態の組立て順序を示す断面図である。本実施の形態は、上下シェル３，４のかしめによってハウジング５が組み立てられる場合である。
【００２４】
この場合、第２図（ａ）に示すように、上シェル３は平板部３ａのみの金属板からなり、その下面には円盤状のライナー１６が貼付されている。下シェル４は、平板部４ａの周縁から上方へ立ち上がる周壁部４ｂを備えているとともに、周壁部４ａの上縁にはかしめ部１４が形成され、かつかしめ部１４の根元には、上シェル３の周縁を受けて上下シェル３，４の間隔を規制する段部１４ａが形成されている。また下シェル４は、磁気ディスク１５の中心部に固定されたセンタコア１０を外部に臨ませる円孔４ｃを平板部４ａの中心部に備えるとともに、その上面には、ドーナツ状のライナー１６が貼付され、このライナー１６上に磁気ディスク１５が載置されている。
【００２５】
このような構成を有する下シェル４の段部１４ａ上に、図２（ｂ）に示すように上シェル３を載置し、図２（ｃ）に示すようにかしめ部１４を内方へ折り曲げて上シェル３の上板部３ａの周縁部にかしめることにより、ハウジングが組み立てられる。
【００２６】
図３（ａ）〜（ｃ）は、上下シェル３，４がかしめによって機械的に結合される場合のかしめ部の種々の構成を例示した拡大断面図であり、図３（ａ）は図２（ｃ）の要部の拡大図を示す。
【００２７】
図３（ｂ）の場合は、上シェル３の周壁部３ｂの下端が下シェル４の平板部４ａの上面に当接して上下シェル３，４の間隔を規制するようになっており、下シェル４の周壁部４ｂは上シェル３の周壁部３ｂの外壁に沿って上方へ延びて二重壁を形成し、かつ周壁部４ｂの上端部をかしめ部１７として内方へ折り曲げて上シェル３の上板部３ａの周縁部にかしめることにより、ハウジングが組み立てられている。
【００２８】
次の図３（ｃ）の場合は、上シェル３の周壁部３ｂの下部が外方へ折り返されて折返し部１９を形成しているとともに、下シェル４の周壁部４ｂに、上シェル３の周壁部３ｂの折返し部１９の下端を受けて上下シェル３，４の間隔を規制する段部４ｄが形成されている。そして、下シェル４の周壁部４ｂの上端部をかしめ部２０として内方へ折り曲げて上シェル３の折返し部１９上にかしめることにより、ハウジングが組み立てられている。
【００２９】
図４は、本発明によるディスクカートリッジの第３の実施の形態を示す断面図である。本実施の形態は、上下シェル３，４を１枚の金属板２１の折曲げとかしめによって構成した場合である。すなわち、長方形の金属板２１の長手方向の略中心位置に、金属板２１の長手方向に対して直交するように延びる凸条２１ａを形成し、この凸条２１ａに沿って金属板２１を折り返すことによって、凸条２１ａの一側の板部２１ｂが上シェル３の平板部を形成し、凸条２１ａの他側の板部２１ｄが下シェル４の平板部を形成する。また、板部２１ｂの周縁部２１ｃが折り曲げられて上シェル３の周壁部を形成し、板部２１ｄの周縁部２１ｅが折り曲げられて下シェル４の周壁部を形成する。上記周縁部２１ｃ，２１ｅ同士は、例えば図３（ｂ）に示す態様で、かしめ部１７のかしめによって結合される。
【００３０】
図５は、本発明によるディスクカートリッジの第４の実施の形態におけるハウジングの分解斜視図である。本実施の形態においては、上シェル３の周壁部３ｂの下縁に複数の係止爪２２が突設され、下シェル４の平板部４ａの周縁部には、上記係止爪２２に対応する位置に凹部２３が形成されている。そして、上シェル３側の係止爪２２を下シェル４側の凹部２３に挿通した後、下シェル４の平板部４ａの下面から下方へ突出した係止爪２２を、図６の拡大断面図に示すように内方へ折り曲げることによって、ハウジングが組み立てられる。なお、下シェル４側に係止爪２２を、上シェル３側に凹部２３を設けてもよい。
【００３１】
図７〜図９は、本発明によるディスクカートリッジの第５の実施の形態におけるハウジングの構造を示す図で、図７（ａ），（ｂ）は上シェルの周壁部の要部の正面図および断面図、図８（ａ），（ｂ）は下シェルの周壁部の要部の正面図および断面図、図９（ａ），（ｂ）は上下シェルの機械的結合状態を示す要部の正面図および断面図である。
【００３２】
図７（ａ），（ｂ）において、厚さ０，２ｍｍのＳＵＳ３０４鋼板によって形成された上シェル３０の平板部３０ａの周縁から折曲げによって垂設された周壁部３０ｂには、複数の矩形状の窓３１が形成されている。本実施の形態においては、周壁部３０ｂの高さは１．９５ｍｍ、窓３１の横幅は２ｍｍよりも僅かに長く、高さは０．９ｍｍである。窓３１の下縁は、壁部３０ｂの下縁から０．５ｍｍの位置において壁部３０ｂの下縁と平行に延びている。
【００３３】
一方、図８（ａ），（ｂ）において、上シェル３０と同じく厚さ０，２ｍｍのＳＵＳ３０４鋼板によって形成された下シェル４０の平板部４０ａの周縁から折曲げによって立設された周壁部４０ｂは、上シェル３０周壁部３０ｂの内側に重なり合う態様で結合されるように構成されているとともに、窓３１と対応する位置に、幅２．０ｍｍの矩形状の切起し片４１が窓３１と同じ数だけ形成されている。これら切起し片４１は、その下縁および両側縁において周壁部４０ｂから切り離され、かつ下縁が周壁部４０ｂの外面から突出するように切り起されている。
【００３４】
このような構成を有する上下シェル３０，４０の周壁部３０ｂ，４０ｂ同士を、上下方向から重ね合うようにスライドさせると、下シェル４０の切起し片４１が上シェル３０の周壁部３０ｂの下縁部に押されて内方へ弾性的に撓まされ、次いで下シェル４０の周壁部４０ｂの上端面が、上シェル３０の平板部３０ａの下面に当接するのと略同時に、切起し片４１が弾性的に復元して窓３１内に係入することにより、図９（ａ），（ｂ）に示すように、上下シェル３０，４０が周壁部３０ｂ，４０ｂにおいて機械的に結合される。
【００３５】
このような結合構造においては、上下シェル３０，４０をこれ以上押し込むように力を加えても、下シェル４０の周壁部４０ｂの上端面が上シェル３０の平板部３０ａの下面に対し位置Ａにおいて当接するので、これ以上押し込むことは不可能である。また、上下シェル３０，４０を上下に引き離そうとしても、下シェル４０の切起し片４１の下縁が位置Ｂにおいて上シェル３０の窓３１の下縁に当接するので、分解不能である。
【００３６】
さらに、上下シェル３０，４０の周壁部３０ｂ，４０ｂ同士を水平方向にずらそうとしても、切起し片４１の側縁が窓３１の側縁に位置ＣまたはＤにおいて当接して、ずらすことも不可能である。
【００３７】
しかしながら、切起し片４１を強制的に内方へ撓ませて窓３１から脱出させた状態にした場合には、上下シェル３０，４０を上下に引き離すことができる。
【００３８】
このように、本実施の形態における上下シェル３０，４０の結合構造は、簡単な構成ながら、ハウジングの組み立てが極めて容易であり、かつ上下シェル３０，４０の結合強度も高いという利点を備えながら、分解も可能である。
【００３９】
なお、上述の構成に代り、図１０に示すように、下シェル４０の周壁部４０ｂに窓４２を形成し、上シェル３０の周壁部３０ｂに切起し片３２を設けた構成とすることもでき、同様の効果を得ることができる。
【００４０】
図１１は、図１２で説明した磁気ディスクカートリッジ１に、本実施の形態による上下シェルの結合構造を適用した場合の平面図で、矢印Ｓで示す１３箇所において、図９（ａ），（ｂ）に示す結合構造が施されている。なお、図１１において、符号１５は磁気ディスクを示す。
【００４１】
以上説明した本発明の実施の形態は、いずれも組立て性および分解性に優れ、かつ組立て環境を汚染したりデータの読み書きに悪影響を与えたりする虞れがないこと明らかである。
【００４２】
なお、上述の実施の形態は、本発明の一部を例示したに留まり、本発明は、これら実施の形態を種々組み合わせた構成をも含むものである。
【図面の簡単な説明】
【図１】図１（ａ）〜（ｃ）は、本発明によるディスクカートリッジの第１の実施の形態の上シェル、下シェルおよびハウジングをそれぞれ一部を省略して概略的に示す断面図
【図２】第２図（ａ）〜（ｃ）は、本発明によるディスクカートリッジの第２の実施の形態のハウジングの組立て順序を示す断面図
【図３】図３（ａ）〜（ｃ）は、上下シェルがかしめによって機械的に結合される場合のかしめ部の種々の構成を例示した拡大断面図
【図４】本発明によるディスクカートリッジの第３の実施の形態を示す断面図
【図５】本発明によるディスクカートリッジの第４の実施の形態におけるハウジングの分解斜視図
【図６】本発明によるディスクカートリッジの第４の実施の形態の要部拡大断面図
【図７】図７（ａ），（ｂ）は、本発明によるディスクカートリッジの第５の実施の形態における上シェルの周壁部の要部の正面図および断面図
【図８】図８（ａ），（ｂ）は、図７の上シェルに結合される下シェルの周壁部の要部の正面図および断面図
【図９】図９（ａ），（ｂ）は、図７および図８の上下シェルの機械的結合状態を示す要部の正面図および断面図
【図１０】図９（ｂ）の結合構造の変形を示す断面図
【図１１】本発明によるディスクカートリッジの第５の実施の形態における上下シェルの結合部位を示す平面図
【図１２】従来のディスクカートリッジの斜視図
【符号の説明】
３，３０    上シェル
３ａ，３０ａ    上シェルの平板部
３ｂ，３０ｂ    上シェルの周壁部
４，４０    下シェル
４ａ，４０ａ    下シェルの平板部
４ｂ，４０ｂ    下シェルの周壁部
５    ハウジング
１１    凹溝
１２    凸条
１４，１７，２０    かしめ部
１５    磁気ディスク
１６    ライナー
３１    窓
４１    切起し片
【図１】
2004152459.tif 000003
【図２】
2004152459.tif 000004
【図３】
2004152459.tif 000005
【図４】
2004152459.tif 000006
【図５】
2004152459.tif 000007
【図６】
2004152459.tif 000008
【図７】
2004152459.tif 000009
【図８】
2004152459.tif 000010
【図９】
2004152459.tif 000011
【図１０】
2004152459.tif 000012
【図１１】
2004152459.tif 000013
【図１２】
2004152459.tif 000014